(57)【特許請求の範囲】
【請求項１】
無線セルラ通信ネットワークにおいて、第１の通信装置によってデータフローを第２の通信装置に転送する方法であって、
前記第１の通信装置および前記第２の通信装置は、無線チャネルを通してリンクされる
方法において、
前記方法は、前記第１の通信装置によって実行される複数のステップとして、
−前記データフローを少なくとも２つのスプリットに分割するステップであって、各スプリットが前記データフローの異なる複数の部分に対応する、スプリットに分割するステップと、
−前記無線チャネルを通して第１のスプリットを直接前記第２の通信装置に転送するステップであって、前記無線チャネルは前記第１の通信装置および前記第２の通信装置をリンクする、前記無線チャネルを通して第１のスプリットを直接前記第２の通信装置に転送するステップと、
−少なくとも１つの第３の通信装置を経由して少なくとも１つの第２のスプリットを前記第２の通信装置に転送するステップであって、前記第３の通信装置は、無線セルラ通信ネットワークの第１の基地局であり、前記第１の通信装置が前記無線セルラ通信ネットワークの第２の基地局であり、前記第２の通信装置が移動端末である、ステップと、
−前記移動端末から、複数の基地局によって転送される信号についての測定報告を受信するステップと、
−前記測定報告から、前記データフローをより多数またはより少数のスプリットに分割する必要があるか否かを判断するステップと
前記データフローをより多数のスプリットに分割する必要がある場合、
・前記第２の基地局と第３の基地局との間にリンクを確立するステップであって、前記第３の基地局は、移動端末によって報告される測定値が所与の値よりも大きなものとなる信号を転送したものである、ステップと、
・前記第３の基地局から、前記第３の基地局と前記移動端末との間の無線チャネルに関連する情報を取得するステップと、
・前記第３の基地局と前記移動端末との間の前記無線チャネルに関連する情報を前記移動端末に転送するステップと、
・前記データフローを増加した数のスプリットに分割するステップと、
・前記第３の基地局を経由し前記確立されたリンクを通して、追加スプリットを前記移動端末に転送するステップと
を含むことを特徴とする方法。
【請求項２】
前記データフローをより少数のスプリットに分割する必要がある場合、
−前記第２の基地局と前記第１の基地局との間の前記リンクを解放するステップと、
−前記移動端末に、前記第１の基地局と前記移動端末との間の前記無線チャネルに関連する情報を転送するステップと、
−前記データフローを減少した数のスプリットに分割するステップと
をさらに含むことを特徴とする、請求項１に記載の方法。
【請求項３】
−前記第２の基地局と第１の基地局との間の前記リンクを解放する前に、前記第１の基地局からパケットを受信するステップと、
−前記受信したパケットを前記移動端末に転送するステップと
をさらに含むことを特徴とする、請求項２に記載の方法。
【請求項４】
−第４の基地局から、前記第２の基地局と前記第４の基地局との間にリンクを確立する要求および別の移動端末との無線チャネルを確立する要求を表すメッセージを受信するステップと、
−前記第２の基地局と前記第４の基地局との間にリンクを確立するステップと、
−前記第２の基地局と前記別の移動端末との間の前記無線チャネルに関連する情報を決定するステップと、
−前記第２の基地局と前記別の移動端末との間に前記無線チャネルを確立するステップと、
−前記第２の基地局と前記別の移動端末との間の前記無線チャネルに関連する情報を前記第４の基地局に転送するステップと
をさらに含むことを特徴とする、請求項１に記載の方法。
【請求項５】
−前記第２の基地局と前記第４の基地局との間の前記リンクを通して、前記第４の基地局からデータを受信するステップと、
−前記第２の基地局と前記別の移動端末との間に確立された前記無線チャネルを通して、前記第４の基地局から受信した前記データを転送するステップと
をさらに含むことを特徴とする、請求項４に記載の方法。
【請求項６】
−前記第２の基地局と前記別の移動端末との間に確立された前記無線チャネルを通して、前記別の移動端末からデータを受信するステップと、
−前記第２の基地局と前記第４の基地局との間の前記リンクを通して、前記別の移動端末から受信した前記データを転送するステップと
をさらに含むことを特徴とする、請求項４に記載の方法。
【請求項７】
−前記第４の基地局から、前記第２の基地局と前記第４の基地局との間のリンクを解放する要求を表すメッセージを受信するステップと、
−前記第４の基地局から受信したデータを、前記第２の基地局と前記別の移動端末との間に確立される前記無線チャネルを通して前記別の移動端末に送信することを停止するステップと、
−前記第２の基地局と前記別の移動端末との間の前記無線チャネルを通して転送されたデータが、前記移動端末によって肯定応答されていないかどうかをチェックするステップと、
−データが肯定応答されていない場合、前記データを前記第４の基地局に転送するステップと
をさらに含むことを特徴とする、請求項６に記載の方法。
【請求項８】
−前記第２の基地局と前記第４の基地局との間の前記リンクを解放するステップと、
−前記第２の基地局と前記別の移動端末との間の前記無線チャネルを解放するステップと
をさらに含むことを特徴とする、請求項７に記載の方法。
【請求項９】
前記データフローが複数のデータパケットに分解されることを特徴とし、かつ、
各スプリットが複数の異なるデータパケットに分解され、各データパケットに、前記データフロー内における前記データパケットの順番を表す情報が記されることを特徴とする、請求項１〜８のいずれか一項に記載の方法。
【請求項１０】
無線セルラ通信ネットワークにおいて、第１の通信装置によってデータフローを第２の通信装置に転送する方法であって、
前記第１の通信装置および前記第２の通信装置は、無線チャネルを通してリンクされる
方法において、
前記方法は、前記第１の通信装置によって実行される複数のステップとして、
−前記データフローを少なくとも２つのスプリットに分割するステップであって、各スプリットが前記データフローの異なる複数の部分に対応する、スプリットに分割するステップと、
−前記無線チャネルを通して第１のスプリットを直接前記第２の通信装置に転送するステップであって、前記無線チャネルは前記第１の通信装置および前記第２の通信装置をリンクする、前記無線チャネルを通して第１のスプリットを直接前記第２の通信装置に転送するステップと、
−少なくとも１つの第３の通信装置を経由して少なくとも１つの第２のスプリットを前記第２の通信装置に転送するステップであって、前記第３の通信装置は、無線セルラ通信ネットワークの第１の基地局であり、前記第１の通信装置が移動端末であり、前記第２の通信装置が、前記無線セルラ通信ネットワークの第２の基地局である、ステップと、
を含み、
前記方法は、さらに、
−複数の基地局によって転送された信号を測定するステップと、
−前記第２の基地局に、前記測定を表す測定報告を転送するステップと、
−前記移動端末と前記第３の基地局との間にセットアップすべき無線チャネルに関連する情報を含むメッセージを受信するステップと、
−前記移動端末と前記第３の基地局との間に前記無線チャネルを確立するステップと、
−前記データフローを増加した数のスプリットに分割するステップと、
−前記第３の基地局を経由し前記確立された無線チャネルを通して追加スプリットを前記第２の基地局に転送するステップと、
−前記移動端末と前記第１の基地局との間の前記無線チャネルを通して転送されたデータが、前記第１の基地局によって肯定応答されていないかどうかをチェックするステップと、
−別の無線チャネルを通して、前記肯定応答されていないデータを前記第２の基地局に転送するステップと、
−前記移動端末と前記第１の基地局との間に確立された前記無線チャネルを解放するステップと、
−前記スプリットの数を減少させるステップと
をさらに含む、方法。
【請求項１１】
前記データフローが複数のデータパケットに分解されることを特徴とし、かつ、
各スプリットが複数の異なるデータパケットに分解され、各データパケットに、前記データフロー内における前記データパケットの順番を表す情報が記されることを特徴とする、請求項１０に記載の方法。
【請求項１２】
無線セルラ通信ネットワークにおいて、第１の通信装置によってデータフローを第２の通信装置に転送する装置であって、
前記第１の通信装置および前記第２の通信装置は、無線チャネルを通してリンクされる
装置において、
前記装置は前記第１の通信装置内に含まれ、
前記装置は、
−前記データフローを少なくとも２つのスプリットに分割する手段であって、各スプリットが前記データフローの異なる複数の部分に対応する、スプリットに分割する手段と、
−前記無線チャネルを通して第１のスプリットを直接前記第２の通信装置に転送する手段であって、前記無線チャネルは前記第１の通信装置および前記第２の通信装置をリンクする、前記無線チャネルを通して第１のスプリットを直接前記第２の通信装置に転送する手段と、
−少なくとも１つの第３の通信装置を経由して、少なくとも１つの第２のスプリットを前記第２の通信装置に転送する手段であって、前記第３の通信装置は、無線セルラ通信ネットワークの第１の基地局であり、前記第１の通信装置が前記無線セルラ通信ネットワークの第２の基地局であり、前記第２の通信装置が移動端末である、手段と、
−前記移動端末から、複数の基地局によって転送される信号についての測定報告を受信する手段と、
−前記測定報告から、前記データフローをより多数またはより少数のスプリットに分割する必要があるか否かを判断する手段と
前記データフローをより多数のスプリットに分割する必要がある場合、
・前記第２の基地局と第３の基地局との間にリンクを確立する手段であって、前記第３の基地局は、移動端末によって報告される測定値が所与の値よりも大きなものとなる信号を転送したものである、手段と、
・前記第３の基地局から、前記第３の基地局と前記移動端末との間の無線チャネルに関連する情報を取得する手段と、
・前記第３の基地局と前記移動端末との間の前記無線チャネルに関連する情報を前記移動端末に転送する手段と、
・前記データフローを増加した数のスプリットに分割する手段と、
・前記第３の基地局を経由し前記確立されたリンクを通して、追加スプリットを前記移動端末に転送する手段と
を備えることを特徴とする装置。
【請求項１３】
プログラム可能な装置に直接ロード可能とすることができるコンピュータプログラムであって、前記コンピュータプログラムがプログラム可能な装置で実行されると、請求項１〜１１のいずれか一項に記載の方法のステップを実施する命令またはコードの部分を含む、コンピュータプログラム。
【発明の詳細な説明】
【技術分野】
【０００１】
本発明は、一般に、第１の通信装置がデータフローを第２の通信装置に転送する方法および装置に関する。
【０００２】
無線セルラ通信ネットワークでは、１つの送信器が１つの無線チャネルを経由して１つの受信器にデータを転送する。受信器が送信器から離れるように移動中である場合、ネットワークは、別の送信器を経由して受信器にデータをルーティングし、これら２つの送信器間のハンドオーバを可能にする。
【０００３】
符号分割多元接続方式を使用する無線セルラ通信ネットワークでは、ソフトハンドオーバと呼ばれるハンドオーバの特定の一変形が開発された。このような状況では、同じデータが、複数の受信器を含む移動端末の近傍の複数の異なる送信器によって送信される。移動端末は、複数の送信器から受信した信号のエネルギーを結合して、受信信号の品質を向上させる。
【０００４】
サイト選択ダイバーシチ送信(Site Selection Diversity Transmission)と呼ばれるソフトハンドオーバの一変形では、移動端末は、どの送信器がデータを送信できるかを選択することができる。受信器に到達するために必要なパワーレベルが最小である最良の送信器のみが信号を送信するため、干渉レベルが低減する。複数の送信器を経由する独立したフェージングの場合、ＳＳＤＴは、ハンドオーバエリア内での信号レベルのフェージングおよび劣化を回避するために有効な技法となり得る。
【０００５】
ＳＳＤＴでは、複数の送信器にわたるデータのスケジューリングが、無線ネットワークコントローラ(Radio Network Controller)と呼ばれる中央エンティティによって制御されることが必要である。無線ネットワークコントローラは、送信器がデータを使用する必要がない場合であっても、データを各送信器に送信する。この方法は、ＲＮＣと複数の送信器との間に著しいオーバーヘッドを生じさせる。ここで、審議中の第三世代プロジェクト／ロングタームエボリューション(Third Generation Project/Long Term Evolution)３ＧＰＰ／ＬＴＥネットワーク内（ネットワークがもはやＲＮＣのような中央エンティティに対応しない）では、ＳＳＤＴはそのままでは適用できないことに留意する必要がある。
【０００６】
さらに、従来の無線セルラ通信ネットワークでは、送信器と受信器との間で転送されるデータは、転送データの機密性を保証するために暗号化される。
【先行技術文献】
【特許文献】
【０００７】
【特許文献１】国際公開第０２／０５２７８７号パンフレット
【０００８】
本発明は、従来の無線セルラ通信ネットワークよりも高いスループットでの基地局と移動端末との間のデータ転送を可能にする無線セルラ通信ネットワークを提供することを目的とする。
【０００９】
本発明は、従来の無線セルラ通信ネットワークによって提供されるセキュリティレベルよりも高いセキュリティレベルでの基地局と移動端末との間のデータ転送を可能にする、無線セルラ通信ネットワークを提供することを目的とする。
【００１０】
そのために、本発明は、無線セルラ通信ネットワークにおいて、第１の通信装置によってデータフローを第２の通信装置に転送する方法であって、第１の通信装置および第２の通信装置は無線チャネルを通してリンクされる方法において、方法は、第１の通信装置によって実行される複数のステップとして、
−データフローを少なくとも２つのスプリットに分割するステップと、
−無線チャネルを通して第１のスプリットを第２の通信装置に転送するステップと、
−少なくとも１つの第３の通信装置を経由して、少なくとも１つの第２のスプリットを第２の通信装置に転送するステップであって、第３の通信装置は、無線セルラ通信ネットワークの第１の基地局であるステップと
を含むことを特徴とする方法に関する。
【００１１】
本発明は、無線セルラ通信ネットワークにおいて、第１の通信装置によってデータフローを第２の通信装置に転送する装置であって、第１の通信装置および第２の通信装置は無線チャネルを通してリンクされる、装置において、装置は第１の通信装置内に含まれ、装置は、
−データフローを少なくとも２つのスプリットに分割する手段と、
−無線チャネルを通して第１のスプリットを第２の通信装置に転送する手段と、
−少なくとも１つの第３の通信装置を経由して、少なくとも１つの第２のスプリットを第２の通信装置に転送する手段であって、第３の通信装置は、無線セルラ通信ネットワークの第１の基地局である手段と
を備えることを特徴とする装置にも関する。
【００１２】
したがって、第１の通信装置と第２の通信装置との間で転送されるデータフローは、第１の通信装置および第２の通信装置の間における分割のスループットと、第２の通信装置および第３の通信装置の間における分割のスループットとの、両方の恩恵を受けることができるため、より高いスループットで伝達することができる。
【００１３】
さらに、データフローを複数の異なる通信装置によって転送される複数のスプリットに分割することにより、本発明は、従来の無線セルラ通信ネットワークによって提供されるセキュリティレベルよりも高いセキュリティレベルでの基地局と移動端末との間でのデータ転送を可能にする無線セルラ通信ネットワークを提供する。
【００１４】
こういった各スプリットを受信できるエリア内にある移動端末のみが、完全なデータフローを取得することができる。
【００１５】
別の移動端末がスプリットの一部のみを取得した場合、その移動端末はデータフローを回復することができない。
【００１６】
第１の実施形態によれば、第１の通信装置は無線セルラ通信ネットワークの第２の基地局であり、第２の通信装置は移動端末である。
【００１７】
したがって、第２の基地局と移動端末との間で伝達されるデータフローのスループットは、第１の基地局と移動端末との間で利用可能な追加のスループットを使用することによって拡張することができる。データフローの分割は第２の基地局によって実現され、外部ノードを必要としない。
【００１８】
特定の一特徴によれば、第１の通信装置は、
−移動端末から、複数の基地局によって転送される信号についての測定報告を受信し、
−測定報告から、データフローをより多数またはより少数のスプリットに分割する必要があるか否かを判断する。
【００１９】
したがって、移動端末と他の基地局との間で追加のスループットが利用可能な場合（第２の基地局が移動端末から受信する測定報告から決定することができる）、他の複数の基地局との追加のスプリットを使用して、データフローのスループットをさらに拡張することができる。
【００２０】
特定の一特徴によれば、データフローをより多数のスプリットに分割する必要がある場合、第１の通信装置は、
−第２の基地局と、第３の基地局との間にリンクを確立し、ここで、第３の基地局は、移動端末によって報告される測定値が所与の値よりも大きな信号を転送したものであり、
−第３の基地局から、第３の基地局と移動端末との間の無線チャネルに関連する情報を取得し、
−無線チャネルに関連する情報を移動端末に転送し、
−データフローを増加した数のスプリットに分割し、
−第３の基地局を経由し、確立されたリンクを通して、追加スプリットを移動端末に転送する。
【００２１】
したがって、第３の基地局と移動端末との間で利用可能な追加のスループットは、第１の通信装置と移動端末との間のデータフローのスループットの拡張に有効に使用される。
【００２２】
移動端末には、第３の基地局との間に確立すべき無線チャネルの詳細が通知され、移動端末は、確立された新しい無線チャネルを経由して追加のデータパケットを受信する準備ができる。
【００２３】
特定の一特徴によれば、データフローをより少数のスプリットに分割する必要がある場合、第１の通信装置は、
−第２の基地局と第１の基地局との間のリンクを解放し、
−移動端末に、第１の基地局と移動端末との間の無線チャネルに関連する情報を転送し、
−データフローを減少した数のスプリットに分割する。
【００２４】
したがって、第１の基地局と移動端末との間に確立された無線チャネルが、（例えばセル過負荷によって、または無線状況の消滅によって）もはや追加のスループットをもたらさない場合、移動端末はそれ以上、第１の基地局との間に確立された無線チャネルを維持しない。移動端末の消費電力が改善されるとともに、処理資源およびメモリの使用が改善される。移動端末の電池の寿命を延ばすことができる。
【００２５】
さらに、第１の基地局と第２の基地局との間のリンクは、第１の通信装置と移動端末との間のデータフローに追加のスループットをもはやもたらさない場合、解放される。第１および第２の基地局の両方の消費が、電力、処理能力、およびメモリに関して改善される。
【００２６】
特定の一特徴によれば、第１の通信装置は、
−第２の基地局と第１の基地局との間のリンクを解放する前に、第１の基地局からパケットを受信し、
−受信したパケットを移動端末に転送する。
【００２７】
したがって、第２の基地局が第１の基地局を経由して移動端末に送信したデータパケットが、移動端末と第１の基地局との間の無線チャネルが解放されつつあるときに移動端末によって受信されない場合、データパケットは失われず、少なくとも１つの別の無線チャネルを経由して第２の基地局によって移動端末に送信される。スプリット数の低減は、データ損失をもたらさない。
【００２８】
特定の一特徴によれば、第１の通信装置は、
−第４の基地局から、第２の基地局と第４の基地局との間にリンクを確立する要求、および、別の移動端末との無線チャネルを確立する要求を表すメッセージを受信し、
−第２の基地局と第４の基地局との間にリンクを確立し、
−第２の基地局と上記別の移動端末との間の無線チャネルに関連する情報を決定し、
−第２の基地局と上記別の移動端末との間に無線チャネルを確立し、
−第２の基地局と上記別の移動端末との間の無線チャネルに関連する情報を、第４の基地局に転送する。
【００２９】
したがって、第４の基地局と別の移動端末との間のデータフローのスループットを、第２の基地局と別の移動端末との間に確立される無線チャネルのスループットを使用して効率的に拡張することができる。
【００３０】
さらに、第２の基地局は、無線資源および無線チャネルに関連する情報に含まれる関連パラメータの使用を、仮にその無線資源を第４の基地局によって別の移動端末に提供する必要がある場合であっても、単独で決定することができる。この完全に分散したメカニズムは、無線資源の管理に関連する複数の基地局間のあらゆる衝突に対して非常に堅牢である。
【００３１】
特定の一特徴によれば、第１の通信装置は、
−第２の基地局と第４の基地局との間のリンクを通して、第４の基地局からデータを受信し、
−第２の基地局と上記別の移動端末との間に確立された無線チャネルを通して、第４の基地局から受信したデータを転送する。
【００３２】
したがって、別の移動端末は、第４の基地局から、第２の基地局を経由して、追加のデータパケットを効率的に受信することができる。移動端末と第４の基地局との間のデータフローの下りリンクスループットは、効率的に向上する。
【００３３】
特定の一特徴によれば、第１の通信装置は、
−第２の基地局と上記別の移動端末との間に確立された無線チャネルを通して、上記別の移動端末からデータを受信し、
第２の基地局と第４の基地局との間のリンクを通して、上記別の移動端末から受信したデータを転送する。
【００３４】
したがって、第４の基地局は、別の移動端末から、第２の基地局を経由して、追加のデータパケットを効率的に受信することができる。移動端末と第４の基地局との間のデータフローの上りリンクスループットは、効率的に向上する。
【００３５】
特定の一特徴によれば、第１の通信装置は、
−第４の基地局から、第２の基地局と第４の基地局との間のリンクを解放する要求を表すメッセージを受信し、
−第４の基地局から受信したデータを、第２の基地局と上記別の移動端末との間に確立される無線チャネルを通して、上記別の移動端末に送信することを停止し、
−第２の基地局と上記別の移動端末との間の無線チャネルを通して転送されたデータが、移動端末によって肯定応答されていないかどうかをチェックし、
−データが肯定応答されていない場合、データを第４の基地局に転送する。
【００３６】
したがって、第２の基地局が第４の基地局から受信するデータであって、（例えばカバレッジ不足またはセル過負荷の場合に）第２の基地局と別の移動端末との間に確立される無線チャネルを介して別の移動端末に伝達することができないものを、それでも、第４の基地局によって、少なくとも１つの別の無線チャネルを経由して移動端末に伝達することができる。
【００３７】
さらに、第２の基地局のセルの容量は、（例えばカバレッジ不足のために）移動端末が適切に受信できないデータパケットを、別の移動端末に送信することによって、浪費されなくなる。この容量は、第２の基地局が他のデータパケットをさらに別の移動端末に送信するために使用することができる。第２の基地局のセルの容量は増大する。
【００３８】
特定の一特徴によれば、第１の通信装置は、
−第２の基地局と第４の基地局との間のリンクを解放し、
−第２の基地局と上記別の移動端末との間の無線チャネルを解放する。
【００３９】
したがって、移動端末の消費電力が改善され、処理資源およびメモリの使用が改善される。第２の基地局のセルの容量は増大し、第１の基地局と第４の基地局とをリンクする通信ネットワークの容量も増大する。
【００４０】
第２の実施形態によれば、第１の通信装置は移動端末であり、第２の通信装置は無線セルラ通信ネットワークの第２の基地局である。
【００４１】
したがって、移動端末と第２の基地局との間で伝達されるデータフローのスループットは、第１の基地局と第２の基地局との間で利用可能な追加のスループットを使用することによって拡張することができる。データフローの分割は移動端末によって実現され、外部ノードを必要としない。
【００４２】
第２の実施形態の特定の一特徴によれば、第１の通信装置は、
−複数の基地局によって転送された複数の信号を測定し、
−第２の基地局に、測定を表す測定報告を転送する。
【００４３】
したがって、移動端末は、他の基地局を通過する追加スプリットを使用することにより、第２の基地局が、移動端末と基地局との間でのデータフローに対してスループットの追加を達成できるか否かを知るのを助けることができる。
【００４４】
第２の実施形態の特定の一特徴によれば、第１の通信装置は、
−移動端末と第３の基地局との間にセットアップすべき無線チャネルに関連する情報を含むメッセージを受信し、
−移動端末と第３の基地局との間に無線チャネルを確立し、
−データフローを増加した数のスプリットに分割し、
−第３の基地局を経由し、確立された無線チャネルを通して、追加スプリットを第２の基地局に転送する。
【００４５】
したがって、移動端末は、第３の基地局と移動端末との間で利用可能な追加のスループットから効率的に恩恵を受けて、移動端末と第２の基地局との間のデータフローのスループットを拡張することができる。
【００４６】
第２の実施形態の特定の一特徴によれば、第１の通信装置は、
−移動端末と第１の基地局との間に確立される無線チャネルの解放を要求するメッセージを受信し、
−移動端末と第１の基地局との間に確立された無線チャネルを解放し、
−データフローを減少した数のスプリットに分割する。
【００４７】
したがって、移動端末の消費電力が改善され、処理資源およびメモリの使用が改善される。第１の基地局のセルの容量は増大する。
【００４８】
第２の実施形態の特定の一特徴によれば、第１の基地局と移動端末との間の無線チャネルを解放する前に、第１の通信装置は、
−移動端末と第１の基地局との間の無線チャネルを通して転送されたデータが、第１の基地局によって肯定応答されていないかどうかをチェックし、
−別の無線チャネルを通して、肯定応答されていないデータを第２の基地局に転送する。
【００４９】
したがって、移動端末が第１の基地局を経由して第２の基地局に送信したデータパケットが、移動端末と第１の基地局との間の無線チャネルが解放されつつあるときに第２の基地局によって受信されない場合、データパケットは失われず、少なくとも１つの別の無線チャネルを経由して移動端末によって第２の基地局に送信される。スプリット数の低減はデータ損失をもたらさない。
【００５０】
第１および第２の実施形態の一特徴によれば、データフローは複数のデータパケットに分解され、各スプリットは複数の異なるデータパケットに分解され、各データパケットに、データフロー内におけるデータパケットの順番を表す情報が記される。
【００５１】
したがって、第１の通信装置および第２の通信装置が受信したデータパケットは、複数の無線チャネルを介しての反復に関係なく、または並列した複数の無線チャネルを介してのパケットの交差に関係なく、順番に並べ替えることができる。データフローの向上したスループットは、ビデオアプリケーションまたはスピーチアプリケーション等、順番の影響を受けやすいアプリケーションに対して堅牢である。
【００５２】
本発明は、無線セルラ通信ネットワークにおいて、第１の通信装置によってデータフローを第２の通信装置から受信する方法であって、第１の通信装置および第２の通信装置は無線チャネルを通してリンクされる、方法において、第１の通信装置によって実行される複数のステップとして、
−無線チャネルを通して、第２の通信装置からデータフローの第１のスプリットを受信するステップと、
−第３の通信装置を経由して、第２の通信装置から、データフローの第２のスプリットを受信するステップであって、第３の通信装置は無線セルラ通信ネットワークの第１の基地局である、ステップと、
−２つのスプリットからデータフローを再構築するステップと
を含むことを特徴とする方法にも関する。
【００５３】
本発明は、無線セルラ通信ネットワークにおいて、第２の通信装置からデータフローを受信する第１の通信装置であって、第１の通信装置および第２の通信装置は無線チャネルを通してリンクされる、第１の通信装置において、第１の通信装置は、
−無線チャネルを通して第２の通信装置からデータフローの第１のスプリットを受信する手段と、
−第３の通信装置を経由して第２の通信装置からデータフローの第２のスプリットを受信する手段であって、第３の通信装置は無線セルラ通信ネットワークの第１の基地局である、手段と、
−２つのスプリットからデータフローを再構築する手段と
を備えることを特徴とする、第１の通信装置にも関する。
【００５４】
したがって、第１の通信装置と第２の通信装置との間で転送されるデータフローは、第１の通信装置および第２の通信装置の間の分割のスループットと、第２の通信装置および第３の通信装置の間の分割のスループットとの、両方から恩恵を受けることができるため、より高いスループットで伝達することができる。
【００５５】
さらに、データフローを、複数の異なる通信装置によって転送される複数のスプリットに分割することにより、本発明は、従来の無線セルラ通信ネットワークによって提供されるセキュリティレベルよりも高いセキュリティレベルで、基地局と移動端末との間でのデータ転送を可能する無線セルラ通信ネットワークを提供する。
【００５６】
これらの各スプリットを受信できるエリア内にある移動端末のみが、完全なデータフローを取得することができる。
【００５７】
別の移動端末が複数のスプリットの一部しか取得しない場合、データフローを回復することはできない。
【００５８】
特定の一特徴によれば、データフローは複数のデータパケットに分解され、各データパケットに、データフロー内におけるデータパケットの順番を表す情報が記され、データフローは、データフロー内におけるデータパケットの順番を表す情報を使用して再構築される。
【００５９】
したがって、第１の通信装置が複数の異なるスプリットから受信する、１つの同じデータフローの複数のデータパケットは、複数の無線チャネルを介しての反復に関係なく、または並列した複数の無線チャネルを介してのパケットの交差に関係なく、順番に並べ替えることができる。データフローの向上したスループットは、ビデオアプリケーションまたはスピーチアプリケーション等、順番の影響を受けやすいアプリケーションに対して堅牢である。
【００６０】
第１の実施形態によれば、第１の通信装置は無線セルラ通信ネットワークの第２の基地局であり、第２の通信装置は移動端末である。
【００６１】
したがって、１つの移動端末との間で確立された複数の異なるスプリットを介して第２の基地局が受信する１つの同じデータフローの複数のデータパケットは、複数の無線チャネルを介しての反復に関係なく、または並列した複数の無線チャネルを介してのパケットの交差に関係なく、順番に並べ替えることができ、前記無線チャネルは他の複数の基地局との間で確立される。データフローの向上したスループットは、ビデオアプリケーションまたはスピーチアプリケーション等、順番の影響を受けやすいアプリケーションに対して堅牢である。
【００６２】
第２の実施形態によれば、第１の通信装置は移動端末であり、第２の通信装置は無線セルラ通信ネットワークの第２の基地局である。
【００６３】
したがって、第２の基地局との間で確立された複数の異なるスプリットを介して１つの移動端末が受信する、１つの同じデータフローの複数のデータパケットは、複数の無線チャネルを介しての反復に関係なく、または並列した複数の無線チャネルを介してのパケットの交差に関係なく、順番に並べ替えることができ、前記無線チャネルは他の複数の基地局との間で確立される。データフローの向上したスループットは、ビデオアプリケーションまたはスピーチアプリケーション等、順番の影響を受けやすいアプリケーションに対して堅牢である。
【００６４】
さらに別の態様によれば、本発明は、プログラム可能な装置に直接ロード可能とすることができ、前記コンピュータプログラムがプログラム可能な装置で実行されると、本発明による方法のステップを実施する命令またはコードの部分を含むコンピュータプログラムに関する。
【００６５】
コンピュータプログラムに関連する特徴および利点は、本発明による方法および装置に関連して上述したものと同じであるため、ここで繰り返さない。
【００６６】
本発明の特徴は、実施形態例の以下の説明を読むことからさらに明らかになるであろう。前記説明は添付図面を参照して行われる。
【図面の簡単な説明】
【００６７】
【図１】本発明が実施される無線セルラ通信ネットワークの構造を表す図である。
【図２】本発明による基地局の構造を表す図である。
【図３】本発明による無線通信システムの移動端末の構造を表す図である。
【図４】本発明による基地局に含まれるモジュールを表す図である。
【図５】本発明による移動端末の無線インタフェースに含まれるモジュールを表す図である。
【図６】本発明による基地局によって実行される第１のアルゴリズムである。
【図７】本発明による基地局によって実行される第２のアルゴリズムである。
【図８】本発明による移動端末によって実行されるアルゴリズムの一例である。
【発明を実施するための形態】
【００６８】
図１は、本発明が実施される無線セルラ通信ネットワークの構造を表す図である。
【００６９】
セルラ通信ネットワークでは、サーバＡＧＷが、通信ネットワークを通して複数の基地局ＢＳ１〜ＢＳ４に接続される。通信ネットワークは、専用有線ネットワーク、公衆交換網のような公衆網、ＩＰベースのネットワーク、無線ネットワーク、非同期転送モードネットワーク、または上記ネットワークの組み合わせであってよい。
【００７０】
通信ネットワークは、必要な場合に基地局ＢＳ１〜ＢＳ４を互いに接続できるようにするとともに、移動端末ＴＥへ転送されるべきデータフローの少なくとも１つのスプリット(split)の基地局ＢＳ間での転送を可能にし、かつ／または、移動端末ＴＥによって転送されたデータフローの少なくとも１つのスプリットの基地局ＢＳ間での転送を可能にする。
【００７１】
図１では、１つのみのサーバＡＧＷが示されるが、より多数のサーバＡＧＷを本発明において使用できることを理解することができる。
【００７２】
同様に、４つのみの基地局ＢＳ１〜ＢＳ４が示されるが、より多数の基地局ＢＳを本発明において使用できることを理解することができる。
【００７３】
３ＧＰＰにおいて現在審議中のロングタームエボリューション(Long Term Evolution)（ＬＴＥ）ネットワークでは、サーバＡＧＷはアクセスゲートウェイという名称を有し、少なくとも１つのモビリティ管理エンティティ(Mobility Management Entity)（ＭＭＥ）および１つのユーザプレーンエンティティ(User Plane Entity)（ＵＰＥ）を含む。汎用パケット無線サービスネットワークでは、サーバＡＧＷはサービングＧＰＲＳサポートノード(Serving GPRS Support Node)（ＳＧＳＮ）という名称を有する。モバイルＩＰネットワークでは、サーバＡＧＷはフォーリンエージェント（Foreign Agent）（ＦＡ）という名称を有する。ＧＳＭネットワークでは、サーバＡＧＷはビジターロケーションレジスタ(Visitor Location Register)（ＶＬＲ）およびモバイル交換センタ（Mobile Switching Centre)（ＭＳＣ）を含む。
【００７４】
各基地局ＢＳ１〜ＢＳ４は、図１に示されていない少なくとも１つのセルを管理する。基地局ＢＳのセルとは、基地局ＢＳが転送した信号が、所定値よりも上のパワーレベルで移動端末ＴＥによって受信されるエリアである。
【００７５】
図１では、１つのみの移動端末ＴＥが示されるが、より多数の移動端末ＴＥが無線セルラ通信ネットワーク内にあることを理解することができる。
【００７６】
各基地局ＢＳ、例として基地局ＢＳ１は、自身が管理するセル内で、他の基地局ＢＳのセルを識別する情報を含む監視リストを転送することができる。移動端末ＴＥは、こういったセル内で転送される信号を監視し、その移動端末ＴＥをハンドリングする基地局ＢＳ１に測定報告を送信する。
【００７７】
基地局ＢＳは、サーバＡＧＷから移動端末ＴＥに転送すべきデータフローを受信する際、かつ／または、移動端末ＴＥによって転送されたデータフローをサーバＡＧＷに転送する際、移動端末ＴＥをハンドリングする。
【００７８】
データフローを移動端末ＴＥに転送する必要がある場合、データフローは、サーバＡＧＷから、その移動端末ＴＥをハンドリングする基地局ＢＳに転送される。データフローが移動端末ＴＥによって転送される場合、データフローは、その移動端末ＴＥをハンドリングする基地局ＢＳからサーバＡＧＷに転送される。そのデータフローはＦＬ（ＴＥ）と記される矢印で示される。
【００７９】
本発明によれば、移動端末ＴＥをハンドリングする基地局ＢＳは、移動端末ＴＥに転送すべきデータフローを少なくとも２つの部分に分割する。第１のスプリット(split)は、移動端末ＴＥをハンドリングする基地局ＢＳによって、その基地局ＢＳの無線インタフェースを通して移動端末ＴＥに直接転送される。少なくとも１つの第２のスプリットは、移動端末ＴＥをハンドリングする基地局ＢＳによってネットワークインタフェースを通して、かつ少なくとも１つの経由基地局(via base station)ＢＳを経由して移動端末ＴＥに転送される。
【００８０】
本発明によれば、移動端末ＴＥは少なくとも２つのスプリットを受信し、データフローを再構築する。
【００８１】
本発明によれば、移動端末ＴＥは、その移動端末ＴＥをハンドリングする基地局ＢＳに転送すべきデータフローを少なくとも２つの部分に分割する。
【００８２】
本発明によれば、移動端末ＴＥをハンドリングする基地局ＢＳは、移動端末ＴＥによって転送されたデータフローの少なくとも２つのスプリットを受信する。第１のスプリットは、移動端末ＴＥから、その移動端末ＴＥをハンドリングする基地局ＢＳによって、その無線インタフェースを通して直接受信される。少なくとも第２のスプリットは、移動端末ＴＥから、少なくとも１つの経由基地局ＢＳを通して、その移動端末ＴＥをハンドリングする基地局ＢＳによって受信される。移動端末ＴＥをハンドリングする基地局ＢＳは、データフローを再構築する。
【００８３】
図１は、基地局ＢＳ１が移動端末ＴＥをハンドリングする一例を開示する。
【００８４】
基地局ＢＳ１は、移動端末ＴＥに転送すべき矢印ＦＬ（ＴＥ）で表されるデータフローを受信する。基地局ＢＳ１は、移動端末ＴＥに転送すべきデータフローＦＬ（ＴＥ）を３つのスプリットに分割する。矢印ＦＬ１（ＴＥ）で表される第１のスプリットは、基地局ＢＳ１によって無線インタフェースを通して移動端末ＴＥに直接転送される。矢印ＦＬ２ａ（ＴＥ）で表される第２のスプリットは、基地局ＢＳ１によって基地局ＢＳ２に転送され、基地局ＢＳ２は、無線インタフェースを通して矢印ＦＬ２ｂ（ＴＥ）で表されるスプリットを移動端末ＴＥに転送する。矢印ＦＬ３ａ（ＴＥ）で表される第３のスプリットは、基地局ＢＳ１によって基地局ＢＳ３に転送され、基地局ＢＳ３は、無線インタフェースを通して矢印ＦＬ３ｂ（ＴＥ）で表されるスプリットを移動端末ＴＥに転送する。
【００８５】
移動端末ＴＥは３つのスプリットを受信し、データフローを再構築する。
【００８６】
移動端末ＴＥは、基地局ＢＳ１に転送すべきデータフローを、矢印ＦＬ１（ＴＥ）で表される第１の部分、矢印ＦＬ２ｂ（ＴＥ）で表される第２の部分、および矢印ＦＬ３ｂ（ＴＥ）で表される第３の部分に分割する。
【００８７】
基地局ＢＳ２は、矢印ＦＬ２ａ（ＴＥ）で表されるように、受信したスプリットを基地局ＢＳ１に転送する。
【００８８】
基地局ＢＳ３は、矢印ＦＬ３ａ（ＴＥ）で表されるように、受信したスプリットを基地局ＢＳ１に転送する。
【００８９】
移動端末ＴＥをハンドリングする基地局ＢＳ１は、移動端末ＴＥによって転送されたデータフローの３つのスプリットを受信する。基地局ＢＳ１はデータフローを再構築して、矢印ＦＬ（ＴＥ）で表されるようにサーバ１０に転送する。
【００９０】
図２は、本発明による基地局の構造を表す図である。
【００９１】
各基地局ＢＳは、例えば、バス２０１によって互いに接続される構成要素と、図６および図７に開示されるプログラムによって制御されるプロセッサ２００とに基づく構造を有する。
【００９２】
バス２０１は、プロセッサ２００を、読み取り専用メモリＲＯＭ２０２、ランダムアクセスメモリＲＡＭ２０３、ネットワークインタフェース２０６、および無線インタフェース２０５にリンクする。
【００９３】
メモリ２０３は、変数を受け取ることを意図するレジスタと、その基地局ＢＳの１つまたは複数のセルの隣接セルとして既知であるセルのようなセルを識別する情報と、隣接セルを管理する基地局ＢＳの識別子と、コネクションと、隣接セルを管理する基地局ＢＳとの各通信リンクのセキュリティ情報と、図６および図７に開示されるアルゴリズムに関連するプログラムの命令とを含む。
【００９４】
プロセッサ２００は、ネットワークインタフェース２０６および無線インタフェース２０５の動作を制御する。
【００９５】
読み取り専用メモリ２０２は、基地局ＢＳに電源が投入されたときにランダムアクセスメモリ２０３に転送される、図６および図７に開示されるアルゴリズムに関連するプログラムの命令を含む。
【００９６】
基地局ＢＳは、ネットワークインタフェース２０６を通して通信ネットワークに接続される。例として、ネットワークインタフェース２０６は、ＤＳＬ（デジタル加入者回線）モデムまたはＩＳＤＮ（統合デジタルサービス通信網）インタフェース等である。
【００９７】
このようなインタフェースを通して、基地局ＢＳは、サーバＡＧＷと、および無線セルラ通信ネットワークのその他の基地局ＢＳと、情報を交換する。
【００９８】
無線インタフェース２０５を通して、基地局ＢＳは、セルを識別する情報の監視リストを転送するとともに、移動端末ＴＥから測定報告を受信する。
【００９９】
無線インタフェース２０５は１つのアンテナＢＳａｎｔに接続され、アンテナＢＳａｎｔは、移動端末ＴＥから／移動端末ＴＥへの電波を収集および放射するために使用される。
【０１００】
図２では、１つのみのアンテナＢＳａｎｔが示されるが、より多数のアンテナＢＳａｎｔを本発明において使用できることを理解することができる。
【０１０１】
無線インタフェース２０５は、１つまたは複数の移動端末ＴＥに転送すべき少なくとも２つの信号を同時に送信する手段を備え得る。これはたとえば、多入力多出力（ＭＩＭＯ）を使用して、または、送信ビーム整形技法(transmit beamforming technique)を使用して、または複数の送信モジュール（たとえば複数の異なる周波数帯で動作するもの）を使用してなされる。
【０１０２】
無線インタフェース２０５は、１つまたは複数の移動端末ＴＥによって転送された少なくとも２つの信号を同時に受信する手段を備え得る。これはたとえば、ＭＩＭＯを使用して、または受信ビーム整形技法(receive beamforming technique)を使用して、または複数の受信モジュール（たとえば複数の異なる周波数帯で動作するもの）を使用してなされる。
【０１０３】
図３は、本発明による無線通信システムの移動端末の構造を表す図である。
【０１０４】
各移動端末ＴＥは、例えば、バス３０１によって互いに接続された構成要素と、図８に開示されるプログラムによって制御されるプロセッサ３００とに基づく構造を有する。
【０１０５】
バス３０１は、プロセッサ３００を読み取り専用メモリＲＯＭ３０２、ランダムアクセスメモリＲＡＭ３０３、および無線インタフェース３０５にリンクする。
【０１０６】
メモリ３０３は、変数を受け取ることを意図されるレジスタと、図８に開示されるアルゴリズムに関連するプログラムの命令とを含む。
【０１０７】
読み取り専用メモリ３０２は、移動端末ＴＥに電源が投入されたときにランダムアクセスメモリ３０３に転送される、図８に開示されるアルゴリズムに関連するプログラムの命令を含む。
【０１０８】
無線インタフェース３０５は、基地局ＢＳによって下りチャネルを通して転送された信号を検出し測定し受信する手段と、無線セルラ通信システムの上りチャネルを通して測定報告を送信する手段とを備える。
【０１０９】
無線インタフェース３０５は１つのアンテナＴＥＡｎｔに接続され、アンテナＴＥＡｎｔは、基地局ＢＳから／基地局ＢＳへの電波を収集し放射するために使用される。
【０１１０】
図３では、１つのみのアンテナＴＥＡｎｔが示されるが、より多数のアンテナＴＥＡｎｔを本発明において使用できることを理解することができる。
【０１１１】
無線インタフェース３０５は、複数の異なる基地局ＢＳに転送すべき少なくとも２つの信号を同時に送信する手段を含み得る。これはたとえば、ＭＩＭＯを使用して、または送信ビーム整形技法を使用して、または複数の送信モジュール（たとえば複数の異なる周波数帯で動作するもの）を使用してなされる。
【０１１２】
無線インタフェース３０５は、複数の異なる基地局ＢＳによって転送された少なくとも２つの信号を同時に受信する手段を含み得る。これはたとえば、ＭＩＭＯを使用して、または受信ビーム整形技法を使用して、または複数の受信モジュール（たとえば複数の異なる周波数帯で動作するもの）を使用してなされる。
【０１１３】
無線インタフェース３０５については図５を参照してより詳細に開示する。
【０１１４】
図４は、本発明による基地局に含まれるモジュールを表す図である。
【０１１５】
基地局ＢＳは、移動端末ＴＥに転送すべきデータフローをＮ個（複数）のスプリットに分割するスプリッタ／コンバイナ４１０を備える。あるスプリットは、他のスプリット内に含まれるデータとは異なるデータを含み、このデータはデータフローの複数の異なる部分に対応する。より厳密には、データフローは複数のデータパケットに分解され、各スプリットは複数の異なるデータパケットに分解され、各データパケットには、スプリッタ４１０によってデータフロー内におけるそのデータパケットの順番を表す情報が記される。
【０１１６】
データフロー内におけるデータパケットの順番を表す情報は、例として、タイムスタンプまたはシーケンス番号である。
【０１１７】
実現の一変形形態では、基地局ＢＳのプロセッサ２００が、スプリッタ／コンバイナ４１０に代わって、データフローを分割するタスクかつ／またはスプリットを結合するタスクを実行する。
【０１１８】
基地局ＢＳは、他の基地局ＢＳとのデータの転送および／または受信を可能にするＭ個のＸ２トンネルを確立するＭ個のＸ２トンネルモジュール４２０1〜４２０Mと、基地局ＢＳとサーバＡＧＷとの間でデータを交換することができるＳ１トンネルを確立するＳ１トンネルモジュール４５０とを備える。
【０１１９】
Ｘ２トンネルは、３ＧＰＰ  ＴＳ  ３６．４２４という名称の仕様書に開示されるものと同じである。Ｓ１トンネルは、３ＧＰＰ  ＴＳ  ３６．４１４という名称の仕様書に開示されるものと同じである。
【０１２０】
Ｘ２トンネルモジュール４２０のそれぞれを通して、１つのスプリットが送信され、かつ／または受信される。
【０１２１】
図４に示すものを補うものとして、１つのＸ２トンネルモジュール４２０を通って転送されず、かつ／または受信されないＮ−Ｍ個のスプリットは、それぞれＮ−Ｍ個の無線モジュール４３０M+1〜４３０Nを備える無線インタフェース２０５の１つの無線モジュール４３０を通して、基地局ＢＳによって直接転送され、かつ／または受信される。
【０１２２】
モジュール４３０のそれぞれは、送信器Ｔｘｂおよび受信器Ｒｘｂを備える。
【０１２３】
例として、各無線モジュールは、無線リンク制御（ＲＬＣ）スタックおよび媒体アクセス制御（ＭＡＣ）スタックを含む。これらスタックは、送信器Ｔｘｂ上の下りリンクデータパケットのセグメント化およびスケジューリングと、受信器Ｒｘｂによって受信されるべき上りリンクデータパケットの送信認可のスケジューリングとを担当する。これらは、移動端末ＴＥとの間に確立される物理リンクＰＨＹの瞬間品質に適合するように、かつ、基地局ＢＳと無線チャネルをすでに確立している他の移動端末ＴＥと無線チャネル容量を共有するように、可変転送フォーマットである変調符号化方式（Modulation and Coding Scheme)（ＭＣＳ）を使用してなされる。
【０１２４】
基地局ＢＳは無線資源制御ＲＲＣｂプロトコルモジュールを備える。無線資源制御ＲＲＣｂプロトコルモジュールは、移動端末ＴＥの無線資源制御ＲＲＣｔプロトコルモジュールにどのようにデータを分割するかを指示することにより、本発明に従って伝送方式を構成するために使用される。
【０１２５】
移動端末ＴＥのＲＲＣｔプロトコルモジュールについては図５においてさらに説明する。
【０１２６】
実現の一変形形態では、基地局ＢＳのプロセッサ２００は、無線資源制御ＲＲＣｂプロトコルモジュールのタスクを実行する。
【０１２７】
データのスプリットが、基地局ＢＳによってハンドリングされない移動端末ＴＥから１つの受信モジュールＲｘｂを通して受信される場合、データのスプリットは、その基地局ＢＳと移動端末ＴＥをハンドリングする基地局ＢＳとの間に確立されるＸ２トンネル４２０を通して、移動端末ＴＥをハンドリングする基地局ＢＳに転送される。
【０１２８】
本発明によれば、各経由基地局(via base station)ＢＳは、Ｘ２トンネルを通して品質指標情報をスプリッタ／コンバイナ４１０に定期的に送信する。スプリッタ／コンバイナ４１０は、移動端末ＴＥに送信すべきデータフローの各パケットを、個々にどのＸ２トンネルを通してルーティングすべきかを、各経由基地局ＢＳによって転送される品質指標情報を使用して、パケット単位で判断し、複数の異なるスループットを有する複数の異なる分割を実現することが可能になる。
【０１２９】
品質指標情報は、例として、経由基地局ＢＳによって移動端末ＴＥに伝達されつつあるデータのスプリットの達成可能なスループットである。これは、経由基地局ＢＳと移動端末ＴＥとの間に確立される、無線チャネルの容量または品質の解析から導出され得る。例えば、移動端末ＴＥによって経由基地局ＢＳに報告されるチャネル品質指標(Channel Quality Indicators)（ＣＱＩ）から導出でき、かつ／または、基地局ＢＳから受信したが、まだ移動端末ＴＥに伝達されていないデータパケットを含む経由基地局ＢＳのＦＩＦＯの状態（満杯、拡大中、安定、収縮中、空）から導出でき、および／または、経由基地局ＢＳと移動端末ＴＥとの間に確立される無線チャネルによって使用されるセルの負荷から導出できる。
【０１３０】
チャネル品質指標は、例として、３ＧＰＰ／ＬＴＥ（第三世代プロジェクト／ロングタームエボリューション）システムにおいて移動端末ＴＥによって基地局ＢＳに転送されるものである。ＣＱＩは、所与の時間／周波数位置（電波チャンク(radio chunk))において基地局ＢＳによって送信され移動端末ＴＥによって観測される、パイロット信号のＳＩＮＲレベルを与える。ＣＱＩ情報は、通常、送信器と受信器との間に確立される無線チャネルによってサポートされるすべての電波チャンクに提供される。
【０１３１】
例として、セルの負荷は、そのセルで、その経由基地局ＢＳの他の無線チャネルを経由して他の移動端末ＴＥに伝達中のスループットに依存する。
【０１３２】
図５は、本発明による移動端末の無線インタフェースに含まれるモジュールを表す図である。
【０１３３】
無線インタフェース３０５は、スプリッタ５１０を使用して、移動端末ＴＥをハンドリングする基地局ＢＳに転送すべきデータフローをＫ個の独立したスプリットに分割する。あるスプリットは、他のスプリットに含まれるデータとは異なるデータを含み、データフローの複数の異なる部分に対応する。
【０１３４】
各スプリットは、５２０1〜５２０Kと記される送信モジュールＴｘｔのそれぞれに向けて方向付けられる。送信モジュールＴｘｔは、基本的に、１つまたは複数のＦＩＦＯ（先入れ先出し）バッファを含む。ＦＩＦＯは、通常、限られたサイズを有し、送信器Ｔｘｔによって送信されるべきデータを含む。ＦＩＦＯ長は、一定の送信インターバルで、その送信インターバル中に送信モジュールＴｘｔによって送信されるデータ量だけ低減する。逆に、ＦＩＦＯ長は、送信器Ｔｘがデータをスプリッタから受信する都度、増大する。
【０１３５】
各送信器Ｔｘｔは、肯定応答（ＡＲＱ）を使用した反復によって任意の送信エラーを解消する無線リンク制御ＲＬＣ（図５には示さず）と、スケジューラによって他の送信器からの干渉による任意の送信エラーを最小にする媒体アクセス制御ＭＡＣ機能と、さらに物理リンクＰＨＹの瞬間リンク品質に従って動的変調符号化方式を使用して転送フォーマットを最適化する手段とを含む。
【０１３６】
本発明によれば、送信器Ｔｘｔは、定期的に品質指標情報をスプリッタ５１０に送信する。スプリッタ５１０は、サービスを提供している基地局ＢＳに転送すべきデータフローの各パケットを、個々に、どの送信器Ｔｘｔにルーティングすべきかを、すべての送信器Ｔｘｔからの品質指標情報を使用して、パケット単位で判断し、複数の異なるスループットを有する複数の異なる分割の実現を可能にする。
【０１３７】
例として、非制限的に、品質指標情報は、ＦＩＦＯ状態（満杯、拡大中、安定、収縮中、空）であり、または、物理リンクＰＨＹの推定無線リンク品質であり、または、送信器Ｔｘｔと、対応する受信器Ｒｘｂ（移動端末ＴＥをハンドリングする基地局ＢＳまたは経由基地局ＢＳのもの）との間の物理リンクＰＨＹを介して達成可能なデータレートであり、または、物理リンクＰＨＹの負荷指標である。
【０１３８】
例として、物理リンクＰＨＹの負荷指標は、物理リンクＰＨＹが確立された基地局ＢＳによって与えられているスループットである。
【０１３９】
無線インタフェース３０５は、移動端末ＴＥをハンドリングする基地局ＢＳによって直接に、または他の基地局ＢＳを経由して、転送されたＬ個のスプリットを結合するコンバイナ５３０を備える。
【０１４０】
各受信器Ｒｘｔ５４０1〜５４０Lは、１つのスプリットを基地局ＢＳの所与の送信器Ｔｘｂから受信する。各受信器Ｒｘｔ５４０1〜５４０Lは、物理リンクＰＨＹの受信品質に寄与するなんらかのＲＬＣ／ＭＡＣ／ＰＨＹ制御シグナリングを、（例えば、効率的なパワー制御、スケジューリング、ＭＣＳ、またはＡＲＱのために）その送信器Ｔｘｂと交換し得る。各受信器Ｒｘｔは受信データをコンバイナ５３０に送る。コンバイナ５３０は、データソースＴｘｂから送信され、様々な受信器Ｒｘｔを通して受信されたデータを収集し、宛先への単一のデータフローを生成する。
【０１４１】
無線インタフェース３０５は無線資源制御ＲＲＣｔプロトコルモジュールを備え、無線資源制御ＲＲＣｔプロトコルモジュールは、移動端末ＴＥをハンドリングする基地局ＢＳの無線資源制御ＲＲＣｂプロトコルモジュールに従って本発明による伝送方式を構成するために使用される。
【０１４２】
好ましい実施態様では、ＫはＬに等しく、経由基地局ＢＳ（移動端末ＴＥをハンドリングする基地局ＢＳに送信し転送すべきデータスプリットの送信先となるもの）は、経由基地局ＢＳ（移動端末ＴＥに転送されるデータスプリットの送信元であるもの）と同じである。
【０１４３】
実現の一変形形態では、移動端末ＴＥのプロセッサ３００は、スプリッタ５１０および／またはコンバイナ５３０に代わってデータフローを分割するタスク、かつ／またはスプリットを結合するタスクを実行する。
【０１４４】
実現の一変形形態では、移動端末ＴＥのプロセッサ３００は、無線資源制御ＲＲＣｔプロトコルモジュールのタスクを実行する。
【０１４５】
図６は、本発明による基地局によって実行される第１のアルゴリズムである。
【０１４６】
より厳密には、本アルゴリズムは、各基地局ＢＳのプロセッサ２００によって実行される。
【０１４７】
ステップＳ６００において、プロセッサ２００は、測定報告が無線インタフェース２０５を通して受信されたか否かをチェックする。
【０１４８】
各移動端末ＴＥは、複数の異なる基地局ＢＳの測定チャネル内で転送される信号の品質測定値を、定期的に、または要求に応じて（すなわち特定の事象後に）、測定する。
【０１４９】
こういった測定報告は、複数の基地局ＢＳの複数のセルを識別する情報を含み、移動端末ＴＥによってその移動端末ＴＥをハンドリングする基地局ＢＳに報告される。
【０１５０】
品質測定値は、基地局ＢＳによって送信され移動端末ＴＥによって観測される、パイロット信号のＳＩＮＲレベルを与える。
【０１５１】
測定報告が受信された場合、プロセッサ２００はステップＳ６０１に移る。そうでない場合、プロセッサ２００はステップＳ６４０に移る。
【０１５２】
ステップＳ６０１において、プロセッサ２００は、測定報告を送信した移動端末ＴＥに無線チャネルを追加する必要があるか否かをチェックする。
【０１５３】
例として、無線チャネルは、別の基地局ＢＳによって転送された信号の品質が、移動端末ＴＥを現在ハンドリング中の基地局ＢＳによって転送された信号の品質よりも高い場合、または、その基地局ＢＳもしくは別のセル内の別の基地局ＢＳによって転送される信号が所与の閾値よりも高い場合、追加する必要がある。
【０１５４】
無線チャネルは、移動端末ＴＥと基地局ＢＳとの間の下りリンクチャネルおよび／または上りリンクチャネルで構成される。
【０１５５】
測定報告を送信した移動端末ＴＥに無線チャネルを追加する必要がある場合、プロセッサ２００はステップＳ６０２に移る。そうでない場合、プロセッサ２００はステップＳ６２０に移る。
【０１５６】
ステップＳ６０２において、プロセッサ２００は、別の基地局ＢＳによって制御されるセル内に無線チャネルをセットアップする必要があるか否かをチェックする。
【０１５７】
別の基地局ＢＳのセル内に無線チャネルをセットアップする必要がある場合、プロセッサ２００はステップＳ６０３に移る。そうでない場合、プロセッサ２００はステップＳ６１０に移る。
【０１５８】
ステップＳ６０３において、プロセッサ２００は、上記別の基地局ＢＳへのＸ２トンネルセットアップ要求メッセージの転送を命令する。
【０１５９】
Ｘ２トンネルセットアップ要求メッセージは、上記別の基地局ＢＳに、移動端末ＴＥをハンドリングする基地局ＢＳとのリンクまたはユーザプレーンインタフェース（Ｘ２トンネル）を確立するとともに、上記別の基地局ＢＳのセル内で上記別の基地局ＢＳと移動端末ＴＥとの間に別の無線チャネル（ＲＬＣ／ＭＡＣ／ＰＨＹ）を確立するように要求する。
【０１６０】
次のステップＳ６０４において、プロセッサ２００は、ネットワークインタフェース２０６を通して、上記別の基地局ＢＳによって決定されたチャネル情報の受信を検出する。チャネル情報は、少なくとも、上記別の基地局ＢＳのセル内の移動端末ＴＥの識別子Ｃ−ＲＮＴＩ（セル無線ネットワーク一時識別情報：Cell Radio Network Temporary Identity）と、セットアップすべき無線チャネルを識別する情報とである。
【０１６１】
次のステップＳ６０５において、プロセッサ２００は、移動端末ＴＥへのチャネルセットアップメッセージの転送を命令する。チャネルセットアップメッセージは、Ｃ−ＲＮＴＩと、ステップＳ６０４において受信したセットアップすべき無線チャネルを識別する情報と、セルの識別子とを含む。新しい無線チャネルが、上記別の基地局ＢＳと移動端末ＴＥとの間に確立される。
【０１６２】
例として、非制限的に、セットアップ無線チャネルを識別する情報は、上りリンクチャネルおよび下りリンクチャネル内の信号の転送に使用される二重モードおよび／または周波数帯を含む。ならびに／あるいは、移動端末ＴＥから／移動端末ＴＥへの上りリンクおよび下りリンク内の信号の転送に使用されるコードまたはタイムスロットを含む。
【０１６３】
次のステップＳ６０６において、プロセッサ２００は、スプリッタ／コンバイナ４１０に、移動端末ＴＥへのデータフローを少なくとも２つの部分に分割するように命令する。第１のスプリットは、移動端末ＴＥをハンドリングする基地局ＢＳによって直接、無線インタフェース２０５を通して移動端末ＴＥに転送される。第２のスプリットは、移動端末ＴＥをハンドリングする基地局ＢＳにより、品質測定値が正確であった信号を転送した上記別の基地局ＢＳを通して、移動端末ＴＥに転送される。
【０１６４】
したがって、上記別の基地局ＢＳは経由基地局ＢＳである。
【０１６５】
移動端末ＴＥは少なくとも２つのスプリットを受信し、データフローを再構築する。
【０１６６】
次のステップＳ６０７において、プロセッサ２００は、スプリッタ／コンバイナ４１０に、移動端末ＴＥによって転送されたデータフローの少なくとも２つの受信スプリットからの、基地局ＢＳに送信されたデータフローの再構築を開始するように命令する。第１のスプリットは、移動端末ＴＥをハンドリングする基地局ＢＳが、移動端末ＴＥから直接受信する。第２のスプリットは、移動端末ＴＥから、経由基地局ＢＳを通して、移動端末ＴＥをハンドリングする基地局ＢＳによって受信される。移動端末ＴＥをハンドリングする基地局ＢＳは、データフローを再構築し、サーバＡＧＷに転送する。
【０１６７】
その後、プロセッサ２００はステップＳ６００に戻る。
【０１６８】
ステップＳ６１０において、プロセッサ２００は、移動端末ＴＥをハンドリングする基地局ＢＳのセル内でセットアップすべき新しい無線チャネルについてのチャネル情報を決定する。チャネル情報は、少なくとも、基地局ＢＳのセル内の移動端末ＴＥの識別子Ｃ−ＲＮＴＩと、セットアップすべき無線チャネルを識別する情報とである。
【０１６９】
次のステップＳ６１１において、プロセッサ２００は、移動端末ＴＥへのチャネルセットアップメッセージの転送を命令する。チャネルセットアップメッセージは、Ｃ−ＲＮＴＩと、セルの識別子と、セットアップすべき無線チャネルを識別する情報とを含む。基地局ＢＳおよび移動端末ＴＥは、新しい無線チャネルを確立する。
【０１７０】
次のステップＳ６１２において、プロセッサ２００は、スプリッタ／コンバイナ４１０に、移動端末ＴＥに転送すべきデータフローを少なくとも２つの部分に分割するように命令する。少なくとも１つのスプリットは、基地局ＢＳと移動端末ＴＥとの間に確立された無線チャネルを通して、移動端末ＴＥをハンドリングする基地局ＢＳによって直接転送される。
【０１７１】
次のステップＳ６１３において、プロセッサ２００は、スプリッタ／コンバイナ４１０に、移動端末ＴＥによって転送されたデータフローの少なくとも２つの受信スプリットからの、移動端末ＴＥによって基地局ＢＳに送信されたデータフローの再構築を開始するように命令する。少なくとも１つのスプリットは、移動端末ＴＥをハンドリングする基地局ＢＳが、基地局ＢＳと移動端末ＴＥとの間に確立された無線チャネルを通して、移動端末ＴＥから直接受信する。
【０１７２】
その後、プロセッサ２００はステップＳ６００に戻る。
【０１７３】
ステップＳ６２０において、プロセッサ２００は、測定報告を送信した移動端末ＴＥについて、無線チャネルを除去すべきか否かをチェックする。
【０１７４】
１つの基地局ＢＳと移動端末ＴＥとの間にすでに確立されている無線チャネルについて、基地局ＢＳによって転送された信号の測定品質が所与の閾値よりも低い場合、無線チャネルを除去すべきである。
【０１７５】
除去すべき無線チャネルは、端末とその移動端末ＴＥをハンドリングする基地局ＢＳとの間に確立された無線チャネルであるか、または、端末とその移動端末ＴＥをハンドリングしない基地局ＢＳとの間に確立された無線チャネルである。
【０１７６】
測定報告を送信した移動端末ＴＥについて無線チャネルを除去すべき場合、プロセッサ２００はステップＳ６２１に移る。除去すべきではない場合、プロセッサ２００はステップＳ６００に戻る。
【０１７７】
ステップＳ６２１において、プロセッサ２００は、移動端末ＴＥへのチャネル解放メッセージの転送を命令する。チャネル解放メッセージは、測定品質が所与の閾値よりも低い信号を転送した基地局ＢＳのセルの識別子を含む。
【０１７８】
次のステップＳ６２２において、プロセッサ２００は、移動端末ＴＥからチャネル解放確認メッセージを受信する。
【０１７９】
次のステップＳ６２３において、プロセッサ２００は、別の基地局ＢＳのセル内の無線チャネルを解放する必要があるか否かをチェックする。
【０１８０】
別の基地局ＢＳのセル内の無線チャネルを解放する必要がある場合、プロセッサ２００はステップＳ６３０に移る。そうでない場合、プロセッサ２００はステップＳ６２４に移る。
【０１８１】
次のステップＳ６２４において、プロセッサ２００は、スプリッタ／コンバイナ４１０に、移動端末ＴＥに転送すべきデータフローのスプリット数を減少させるとともに、解放すべき無線チャネルへのデータフローの分割を停止するように命令する。
【０１８２】
次のステップＳ６２５において、プロセッサ２００は、スプリッタ／コンバイナ４１０に、解放される無線チャネルから受信されたデータパケットの使用（移動端末ＴＥによって転送されたデータフローを再構築するための使用）を停止するように命令する。
【０１８３】
その後、プロセッサ２００はステップＳ６００に戻る。
【０１８４】
ステップＳ６３０において、プロセッサ２００は、スプリッタ／コンバイナ４１０に、移動端末ＴＥをハンドリングする基地局ＢＳと、上記別の基地局ＢＳ（測定品質が所与の閾値よりも低い信号を転送したもの）との間のＸ２トンネル内で転送すべきスプリットへのデータフローの分割を停止するように命令する。
【０１８５】
次のステップＳ６３１において、プロセッサ２００は、上記別のＢＳ（測定品質が所与の閾値よりも低い信号を転送したもの）へのチャネル除去要求メッセージの転送を命令する。
【０１８６】
上記別の基地局ＢＳは、上記別の基地局ＢＳと上記別の基地局ＢＳのセル内の移動端末ＴＥとの間の無線チャネル（ＲＬＣ／ＭＡＣ／ＰＨＹ）を解放する。上記別の基地局ＢＳは、移動端末ＴＥをハンドリングする基地局ＢＳと、上記別の基地局ＢＳ（測定品質が所与の閾値よりも低い信号を転送したもの）との間のＸ２トンネルを解放する。
【０１８７】
次のステップＳ６３２において、プロセッサ２００は、スプリッタ／コンバイナ４１０に、解放されたＸ２トンネルを通して受信したデータパケットの使用（移動端末ＴＥによって転送されたデータフローを再構築するための使用）を停止するように命令する。移動端末ＴＥをハンドリングする基地局ＢＳは、データフローをサーバＡＧＷに転送する。
【０１８８】
その後、プロセッサ２００はステップＳ６００に戻る。
【０１８９】
ステップＳ６４０において、プロセッサ２００は、Ｘ２トンネルセットアップ要求メッセージが、別の移動端末ＴＥをハンドリングする別の基地局ＢＳから受信されたか否かをチェックする。
【０１９０】
Ｘ２トンネルセットアップ要求メッセージが別の基地局ＢＳから受信された場合、プロセッサ２００はステップＳ６４１に移る。そうでない場合、プロセッサ２００はステップＳ６５０に移る。
【０１９１】
ステップＳ６４１において、プロセッサ２００は、上記別の移動端末ＴＥをハンドリングする上記別の基地局ＢＳとのＸ２トンネルを確立する。
【０１９２】
次のステップＳ６４２において、プロセッサ２００は、基地局ＢＳと、受信されたＸ２トンネルセットアップ要求メッセージ内で識別された基地局ＢＳのセル内の上記別の移動端末ＴＥとの間に、無線チャネル（ＲＬＣスタック、ＭＡＣスタック、Ｔｘｔモジュール、およびＲｘｔモジュール）を確立する。
【０１９３】
同ステップにおいて、プロセッサ２００は、確立された無線チャネルに関連するチャネル情報を決定する。チャネル情報は、少なくとも、基地局ＢＳのセル内の上記別の移動端末ＴＥの識別子Ｃ−ＲＮＴＩと、セットアップ無線チャネルを識別する情報とである。
【０１９４】
例として、非制限的に、確立された無線チャネルに関連するチャネル情報は、上りリンク信号および下りリンク信号に使用される二重モードおよび／または周波数帯を含む。ならびに／あるいは、上記別の移動端末ＴＥから／上記別の移動端末ＴＥへの上りリンク信号および下りリンク信号の転送に使用されるコードまたはタイムスロットも含む。
【０１９５】
次のステップＳ６４３において、プロセッサ２００は、上記別の移動端末ＴＥをハンドリングする上記別の基地局ＢＳへの決定されたチャネル情報の転送を命令する。
【０１９６】
その後、プロセッサ２００はステップＳ６００に戻る。
【０１９７】
ステップＳ６５０において、プロセッサ２００は、Ｘ２トンネル解放要求メッセージが、別の移動端末ＴＥをハンドリングする別の基地局ＢＳから受信されたか否かをチェックする。
【０１９８】
Ｘ２トンネル解放要求メッセージが別の基地局ＢＳから受信された場合、プロセッサ２００はステップＳ６５１に移る。そうでない場合、プロセッサ２００はステップＳ６００に戻る。
【０１９９】
ステップＳ６５１において、プロセッサ２００は、基地局ＢＳと上記別の移動端末ＴＥとの間の無線チャネルを通して上記別の移動端末ＴＥに転送されたパケットのいずれかが、上記別の移動端末ＴＥによってまだ肯定応答されて(acknowledge)いないかどうかをチェックする。
【０２００】
いずれかのパケットが上記別の移動端末ＴＥによってまだ肯定応答されていない場合、プロセッサ２００はステップＳ６５２に移る。そうでない場合、プロセッサ２００はステップＳ６５３に移る。
【０２０１】
ステップＳ６５２において、プロセッサ２００は、肯定応答されていないパケットを、上記別の基地局ＢＳとの間に確立されたＸ２トンネルを通して、未送信を示す情報と共に転送するように、上記の基地局ＢＳに命令する。
【０２０２】
次のステップＳ６５３において、プロセッサ２００は、上記別の移動端末ＴＥをハンドリングする上記別の基地局ＢＳとのユーザプレーンインタフェース（Ｘ２トンネル）の解放を命令する。
【０２０３】
次のステップＳ６５４において、プロセッサ２００は、基地局ＢＳと、基地局ＢＳのセル内の上記別の移動端末ＴＥとの間の無線チャネル（ＲＬＣスタック、ＭＡＣスタック、Ｔｘｂモジュール、およびＲｘｂモジュール）を解放する。
【０２０４】
その後、プロセッサ２００はステップＳ６００に戻る。
【０２０５】
図７は、本発明による基地局によって実行される第２のアルゴリズムである。
【０２０６】
より厳密には、本アルゴリズムは、各基地局ＢＳのプロセッサ２００によって、図６を参照して開示したアルゴリズムと並列して実行される。
【０２０７】
ステップＳ７００において、プロセッサ２００は、基地局ＢＳと移動端末ＴＥとの間に確立された無線チャネルを通して転送されたパケットが、基地局ＢＳによって受信されたか否かをチェックする。
【０２０８】
基地局ＢＳと移動端末ＴＥとの間に確立された無線チャネルを通して転送されたパケットが、基地局ＢＳによって受信される場合、プロセッサ２００はステップＳ７０１に移る。そうでない場合、プロセッサ２００はステップＳ７１０に移る。
【０２０９】
ステップＳ７０１において、プロセッサ２００は、無線インタフェース２０５を通して受信パケットの肯定応答を転送するように命令する。
【０２１０】
次のステップＳ７０２において、プロセッサ２００は、基地局ＢＳが、受信パケットを転送した移動端末ＴＥをハンドリングする基地局ＢＳであるか否かをチェックする。
【０２１１】
その基地局ＢＳが、受信パケットを転送した移動端末ＴＥをハンドリングする基地局ＢＳである場合、プロセッサ２００はステップＳ７１５に移る。そうでない場合、プロセッサ２００はステップＳ７０３に移る。
【０２１２】
ステップＳ７０３において、プロセッサ２００は、ステップＳ７００において受信したパケットを、移動端末ＴＥをハンドリングする基地局ＢＳとの間に確立されたＸ２トンネルを通して、移動端末ＴＥをハンドリングする基地局ＢＳに転送するように命令する。
【０２１３】
その後、プロセッサ２００はステップＳ７００に戻る。
【０２１４】
ステップＳ７１０において、プロセッサ２００は、パケットがＸ２トンネルを通して受信されたか否かをチェックする。
【０２１５】
パケットがＸ２トンネルを通して受信された場合、プロセッサ２００はステップＳ７１１に移る。そうでない場合、プロセッサ２００はステップＳ７２０に移る。
【０２１６】
ステップＳ７１１において、プロセッサ２００は、基地局ＢＳが移動端末ＴＥをハンドリングする基地局ＢＳであるか否かをチェックする。
【０２１７】
基地局ＢＳが移動端末ＴＥをハンドリングする基地局ＢＳである場合、プロセッサ２００はステップＳ７１２に移る。そうでない場合、プロセッサ２００はステップＳ７１３に移る。
【０２１８】
ステップＳ７１３において、プロセッサ２００は、基地局ＢＳと移動端末ＴＥとの間に確立された無線チャネルを通して移動端末ＴＥに受信パケットを転送するように命令する。
【０２１９】
その後、プロセッサ２００はステップＳ７００に戻る。
【０２２０】
ステップＳ７１２において、プロセッサ２００は、受信パケットが、図６のステップＳ６５２において開示される別の基地局ＢＳによって返送されたパケットであるか否かをチェックする。返送されたパケットは、未送信を示す情報と共に返送されている。
【０２２１】
受信パケットが返送パケットである場合、プロセッサ２００はステップＳ７２１に移る。そうでない場合、プロセッサ２００はステップＳ７１５に移る。
【０２２２】
ステップＳ７１５において、プロセッサ２００は、移動端末ＴＥによって転送されたデータフローの少なくとも２つの受信スプリットからの、基地局ＢＳに転送されたデータフローの再構築を、スプリッタ／コンバイナ４１０に命令する。第１のスプリットは、移動端末ＴＥをハンドリングする基地局ＢＳが、移動端末ＴＥから直接受信する。第２のスプリットは、移動端末ＴＥから、経由基地局ＢＳという名称の上記別の基地局ＢＳを通して、移動端末ＴＥをハンドリングする基地局ＢＳによって受信される。移動端末ＴＥをハンドリングする基地局ＢＳは、ステップＳ７１６において、データフローを再構築し、Ｓ１トンネルという名称のリンクを通してサーバＡＧＷに転送する。
【０２２３】
その後、プロセッサ２００はステップＳ７００に戻る。
【０２２４】
ステップＳ７２０において、プロセッサ２００は、データパケットがサーバＡＧＷから受信されたか否かをチェックする。
【０２２５】
データがサーバＡＧＷから受信された場合、プロセッサ２００はステップＳ７２１に移る。そうでない場合、プロセッサ２００はステップＳ７００に戻る。
【０２２６】
ステップＳ７２１において、プロセッサ２００は、基地局ＢＳと移動端末ＴＥとの間に確立された無線チャネル、および、移動端末ＴＥと無線チャネルを確立した他の１つまたは複数の基地局ＢＳと確立されたＸ２トンネルのうち、いずれの経路においてパケットを転送すべきかを決定するように、スプリッタ／コンバイナ４１０に命令する。そのために、スプリッタ／コンバイナ４１０は、その制御下にあるすべてのＦＩＦＯからの品質指標情報のような品質指標情報を使用して、パケット単位で、いずれの経路にパケットを転送する必要があるかを決定する。
【０２２７】
次のステップＳ７２２において、プロセッサ２００は、スプリッタ／コンバイナ４１０が、Ｘ２トンネルを通してパケットを転送する必要があると判断したか否かをチェックする。
【０２２８】
スプリッタ／コンバイナ４１０により、パケットを、Ｘ２トンネルを通して転送する必要があると判断された場合、プロセッサ２００はステップＳ７２４に移る。そうでない場合、プロセッサ２００はステップＳ７２３に移る。
【０２２９】
ステップＳ７２３において、プロセッサ２００は、基地局ＢＳと移動端末ＴＥとの間に確立された無線チャネルを通してのパケットの転送を命令する。
【０２３０】
その後、プロセッサ２００はステップＳ７００に戻る。
【０２３１】
ステップＳ７２３において、プロセッサ２００は、ステップＳ７２１において識別されたＸ２トンネルを通してのパケットの転送を命令する。
【０２３２】
その後、プロセッサ２００はステップＳ７００に戻る。
【０２３３】
図８は、本発明による移動端末によって実行されるアルゴリズムの一例である。
【０２３４】
より厳密には、本アルゴリズムは、各移動端末ＴＥのプロセッサ３００によって実行される。
【０２３５】
ステップＳ８００において、プロセッサ３００は、その移動端末ＴＥをハンドリングする基地局ＢＳへの測定報告の転送を命令する。
【０２３６】
各移動端末ＴＥは、複数の異なる基地局ＢＳの測定チャネル内で転送される信号の品質測定値を、定期的に、または要求に応じて（すなわち特定の事象後に）、測定する。
【０２３７】
こういった測定報告は、複数の基地局ＢＳの複数のセルを識別する情報を含み、移動端末ＴＥによって、その移動端末ＴＥを現在ハンドリングしている基地局ＢＳに報告される。
【０２３８】
一変形では、移動端末ＴＥは、常に、その移動端末ＴＥをハンドリングする基地局ＢＳと確立された１つの無線チャネルを通して、その移動端末ＴＥをハンドリングする基地局ＢＳに測定報告を転送する。
【０２３９】
別の変形では、移動端末ＴＥは、移動端末ＴＥが任意の複数の基地局ＢＳと確立した複数の無線チャネルのうち最高の品質を有する無線チャネルを通して、その移動端末ＴＥをハンドリングする基地局ＢＳに測定報告を転送する。
【０２４０】
品質測定値は、通常、基地局ＢＳによって送信され移動端末ＴＥによって観測される、パイロット信号のＳＩＮＲレベルを与える。
【０２４１】
次のステップＳ８０１において、プロセッサ３００は、チャネルセットアップメッセージが無線インタフェース３０５を通して受信されたか否かをチェックする。チャネルセットアップメッセージは、Ｃ−ＲＮＴＩ、セルの識別子、およびセットアップ中の無線チャネルを識別する情報を含む。
【０２４２】
例として、非制限的に、セットアップ中の無線チャネルに関連するチャネル情報は、上りリンク信号および下りリンク信号に使用される二重モードおよび／または周波数帯を含む。ならびに／あるいは、移動端末ＴＥから／移動端末ＴＥへの上りリンク信号および下りリンク信号の転送に使用されるコードまたはタイムスロットも含む。
【０２４３】
チャネルセットアップメッセージは、好ましくは、移動端末ＴＥをハンドリングする基地局ＢＳによって転送される。チャネルセットアップメッセージは、無線チャネルがセットアップされた別の基地局ＢＳによって転送されてもよい。
【０２４４】
チャネルセットアップメッセージが受信された場合、プロセッサ３００はステップＳ８０２に移る。そうでない場合、プロセッサ３００はステップＳ８１０に移る。
【０２４５】
ステップＳ８０２において、プロセッサ３００は、チャネルセットアップメッセージにおいて識別されるセル内に新しい無線チャネルを確立し、受信したメッセージ内に含まれるＣ−ＲＮＴＩと、セットアップすべき無線チャネルを識別する情報とを使用する。
【０２４６】
次のステップＳ８０３において、プロセッサ３００は、移動端末ＴＥをハンドリングする基地局ＢＳに転送すべきデータフローを少なくとも２つの部分に分割するように、スプリッタ５１０に命令する。第１のスプリットは、移動端末ＴＥをハンドリングする基地局ＢＳに直接転送される。第２のスプリットは、ステップＳ８０２において無線チャネルがセットアップされた上記別の基地局ＢＳを通して、移動端末ＴＥをハンドリングする基地局ＢＳに転送される。
【０２４７】
次のステップＳ８０４において、プロセッサ３００は、コンバイナ５３０に、移動端末ＴＥが受信したデータフローの少なくとも２つの受信スプリットから、移動端末ＴＥに送信されたデータフローの再構築を開始するように命令する。第１のスプリットは、移動端末ＴＥが、その移動端末ＴＥをハンドリングする基地局ＢＳから直接受信する。第２のスプリットは、ステップＳ８０２において無線チャネルがセットアップされた上記別の基地局ＢＳを通して、移動端末ＴＥをハンドリングする基地局ＢＳから、移動端末ＴＥによって受信される。
【０２４８】
ステップＳ８０５において、プロセッサ３００は、移動端末ＴＥをハンドリングする基地局ＢＳへのチャネルセットアップ確認メッセージの転送を命令する。
【０２４９】
一変形では、移動端末ＴＥは、常に、その移動端末ＴＥをハンドリングする基地局ＢＳとの間に確立された１つの無線チャネルを通して、その移動端末ＴＥをハンドリングする基地局ＢＳにチャネルセットアップ確認メッセージを転送する。
【０２５０】
別の変形では、移動端末ＴＥは、その移動端末ＴＥが任意の複数の基地局ＢＳとの間に確立した複数の無線チャネルのうち最高の品質を有する無線チャネルを通して、その移動端末ＴＥをハンドリングする基地局ＢＳにチャネルセットアップ確認を転送する。
【０２５１】
さらに別の変形では、移動端末ＴＥは、ステップＳ８０２において確立された無線チャネルを通して、その移動端末ＴＥをハンドリングする基地局ＢＳにチャネルセットアップ確認を転送する。
【０２５２】
その後、プロセッサ３００はステップＳ８００に戻る。
【０２５３】
ステップＳ８１０において、プロセッサ３００は、チャネル除去メッセージが無線インタフェース３０５を通して受信されたか否かをチェックする。チャネルセットアップメッセージは、Ｃ−ＲＮＴＩと、セルの識別子と、解放すべき無線チャネルを識別する情報とを含む。
【０２５４】
チャネル除去メッセージが受信された場合、プロセッサ３００はステップＳ８１１に移る。そうでない場合、プロセッサ３００はステップＳ８２０に移る。
【０２５５】
ステップＳ８１１において、プロセッサ３００は、スプリッタ５１０に、解放すべき無線チャネルを通して転送されるべき部分のデータフローの分割を停止するように命令する。
【０２５６】
ステップＳ８１２において、プロセッサ３００は、削除すべき無線チャネルを通して移動端末ＴＥによって転送されたパケットのいずれかが、無線チャネルを削除する必要がある基地局ＢＳによってまだ肯定応答されていないかどうかをチェックする。
【０２５７】
パケットのいずれかが基地局ＢＳによってまだ肯定応答されていない場合、プロセッサ３００はステップＳ８１３に移る。そうでない場合、プロセッサ３００はステップＳ８１５に移る。
【０２５８】
次のステップＳ８１３において、プロセッサ３００は、別の無線チャネルを選択する。例として、移動端末ＴＥとその移動端末ＴＥをハンドリングする基地局ＢＳとの間の無線チャネルを選択する。
【０２５９】
ステップＳ８１４において、プロセッサ３００は、ステップＳ８１３において選択された無線チャネルを通して、移動端末ＴＥをハンドリングする基地局ＢＳに、肯定応答されていないパケットを転送するように命令する。
【０２６０】
次のステップＳ８１５において、プロセッサ３００は無線チャネル（ＲＬＣスタック、ＭＡＣスタック、Ｔｘｔモジュール、およびＲｘｔモジュール）の解放を命令する。
【０２６１】
次のステップＳ８１６において、プロセッサ３００は、コンバイナ５３０に、解放された無線チャネルを通して受信されたデータパケットの使用（移動端末ＴＥに送信されたデータフローを再構築するための使用）を停止するように命令する。
【０２６２】
その後、プロセッサ３００はステップＳ８００に戻る。
【０２６３】
ステップＳ８２０において、プロセッサ３００は、データパケットを、移動端末ＴＥをハンドリングする基地局ＢＳに転送する必要があるか否かをチェックする。
【０２６４】
データパケットを転送する必要がある場合、プロセッサ３００はステップＳ８２１に移る。必要がない場合、プロセッサ３００はステップＳ８３０に移る。
【０２６５】
ステップＳ８２１において、プロセッサ３００は、スプリッタ５１０に、１つの無線チャネル（それを通してパケットを転送する必要があるもの）を選択するように命令する。
【０２６６】
そのために、スプリッタ５１０は、その制御下にあるすべてのＦＩＦＯからの品質指標情報のような品質指標情報を使用して、どの無線チャネルを通してパケットを転送する必要があるかを、パケット単位で判断する。
【０２６７】
例として、スプリッタ５１０は、ＦＩＦＯ長が所与の閾値よりも低い、最良の品質指標情報を有する無線チャネルを選択する。
【０２６８】
次のステップＳ８２２において、パケットは、選択された無線チャネルを通して、移動端末ＴＥをハンドリングする基地局ＢＳへの信号の送信をハンドリングする送信器Ｔｘｔに転送される。対応するＦＩＦＯの長さは、データパケットのサイズだけ増加される。適応パケットが受信器Ｒｘｂによって肯定応答されると、対応するＦＩＦＯの長さはデータパケットのサイズだけ減少される。
【０２６９】
その後、プロセッサ３００はステップＳ８００に戻る。
【０２７０】
ステップＳ８３０において、プロセッサ３００は、パケットが無線インタフェース３０５を通して受信されたか否かをチェックする。
【０２７１】
ステップＳ８３０において、パケットが受信された場合、プロセッサはステップＳ８３１に移る。受信されない場合、プロセッサ３００はステップＳ８００に戻る。
【０２７２】
ステップＳ８３１において、プロセッサ３００は、その無線チャネル（それを通してパケットを受信したもの）が確立された基地局ＢＳに、受信パケットの肯定応答を転送するように命令する。
【０２７３】
次のステップＳ８３２において、プロセッサ３００は、コンバイナ５３０に、受信パケットを使用してデータフローを再構築するように命令する。
【０２７４】
その後、プロセッサ３００はステップＳ８００に戻る。
【０２７５】
当然ながら、本発明の範囲から逸脱せずに多くの変更を上述した本発明の実施形態に行うことができる。
【図１】
0005537056.tif 000002
【図２】
0005537056.tif 000003
【図３】
0005537056.tif 000004
【図４】
0005537056.tif 000005
【図５】
0005537056.tif 000006
【図６】
0005537056.tif 000007
【図７】
0005537056.tif 000008
【図８】
0005537056.tif 000009